(57)【要約】【課題】１つのリモコンで、複数の表示装置に対して、同期した制御を実現することを目的とする。【解決手段】遠隔制御信号に基づき動作を制御する制御部２３と、この制御部２３からの制御信号を受けて他のプラズマディスプレイ装置に制御信号を伝送する信号伝送部２５と、他のプラズマディスプレイ装置から制御信号を受けて前記制御部２３に制御信号を伝送する信号受信部２６とを備え、複数台のプラズマディスプレイ装置を遠隔制御可能とした。【選択図】　図１
2004126454.tif 000002
【特許請求の範囲】
【請求項１】
遠隔制御信号に基づき動作を制御する制御部と、この制御部からの制御信号を受けて他の表示装置に制御信号を伝送する信号伝送部と、他の表示装置から制御信号を受けて前記制御部に制御信号を伝送する信号受信部とを備え、複数台の表示装置を遠隔制御可能としたことを特徴とする表示装置。
【発明の詳細な説明】
【０００１】
【発明の属する技術分野】
本発明は、プラズマディスプレイ装置などの表示装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
まず、プラズマディスプレイ装置におけるプラズマディスプレイパネルの構造について図３を用いて説明する。図３に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００５】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００６】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００７】
図４にこのプラズマディスプレイパネルの電極配列を示しており、図４に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００９】
図５に、本実施の形態におけるプラズマディスプレイ装置の表示駆動回路の構成を示している。図５に示すように、図３に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、及びサブフィールド変換部１９を備えている。
【００１０】
図５の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００１１】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００１２】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００１３】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００１４】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する（特許文献１参照）。
【００１５】
このようなプラズマディスプレイ装置は、大画面の表示が可能ということで、各種の用途に使用されているが、複数台のプラズマディスプレイ装置を接続して設置し、情報を表示する機器として使用されることも行われている。
【００１６】
【特許文献１】
特開平０９−３０７８３７号公報
【００１７】
【発明が解決しようとする課題】
ところで、赤外線を用いたリモートコントロール装置（以下、リモコンという）により、表示装置の制御を行う場合、１つのリモコンで１つの表示装置を制御するのが一般的であるが、複数台の表示装置を接続して設置した場合、１つの赤外線リモコンは複数台の表示装置を同期させて動作することは困難である。
【００１８】
本発明はこのような課題を解決し、１つのリモコンで、複数の表示装置に対して、同期した制御を実現することを目的とするものである。
【００１９】
【課題を解決するための手段】
上記目的を達成するために本発明は、遠隔制御信号に基づき動作を制御する制御部と、この制御部からの制御信号を受けて他の表示装置に制御信号を伝送する信号伝送部と、他の表示装置から制御信号を受けて前記制御部に制御信号を伝送する信号受信部とを備え、複数台の表示装置を遠隔制御可能としたことを特徴とするものである。
【００２０】
【発明の実施の形態】
以下、本発明の一実施の形態によるプラズマディスプレイ装置について、図１、図２を用いて説明するが、本発明の実施の態様はこれに限定されるものではない。
【００２１】
図１は本発明の一実施の形態によるプラズマディスプレイ装置の制御部分を示すブロック図であり、プラズマディスプレイ装置２０は、赤外線による遠隔制御信号（リモコン信号）を受光するリモコン受光部２１と、このリモコン受光部２１で受信した信号を解析し、制御内容を伝達するリモコン信号解析部２２と、このリモコン信号解析部２２からの制御信号に基づき装置の動作を制御する制御部２３と、この制御部２３からの制御信号を受けてプラズマディスプレイ装置に対して制御を実行した結果に基づき、リモコンの相対的な制御を絶対値の制御に変換を行う制御信号変換部２４と、この制御信号変換部２４からの信号を他の表示装置に伝送する信号伝送部２５と、他のプラズマディスプレイ装置から制御信号を受ける信号受信部２６と、この信号受信部２６で受信した制御信号を解析し、前記制御部２３に制御内容を伝送する信号解析部２７とを備えている。なお、プラズマディスプレイ装置２０を駆動させるための駆動回路と電源回路２１の接続関係は、図５に示す構成と同様な構成である。
【００２２】
図２に複数台のプラズマディスプレイ装置を接続して設置する場合の接続例を示している。
【００２３】
すなわち、本発明のプラズマディスプレイ装置は、赤外線によるリモコンからの制御信号を解析し、調整値の増減といった相対的な制御を、直接的な値の変更を行う制御に変換を行い、さらに変換した制御信号を電気信号へ変換を行う制御部２３と、変換された電気信号を伝達するための信号伝送部２５と、電気信号を受信するための信号受信部２６とを接続することで、１つのリモコンにより、複数の装置を同期させて動作を行うことが可能となる。
【００２４】
【発明の効果】
以上の説明から明らかなように、本発明の表示装置によれば、１つの赤外線リモコンで行った制御が、全ての表示装置に対して実行され、全ての表示装置が同じ動作を行うことが可能となる。
【図面の簡単な説明】
【図１】本発明の一実施の形態によるプラズマディスプレイ装置の概略構成を示すブロック図
【図２】同装置を複数台接続する場合の接続例を示すブロック図
【図３】プラズマディスプレイ装置のパネルの概略構成を示す斜視図
【図４】同プラズマディスプレイ装置のパネルの電極配列を示す説明図
【図５】同プラズマディスプレイ装置の表示駆動回路の一例を示すブロック回路図
【符号の説明】
２０　プラズマディスプレイ装置
２１　リモコン受光部
２２　リモコン信号解析部
２３　制御部
２４　制御信号変換部
２５　信号伝送部
２６　信号受信部
２７　信号解析部
【図１】
2004126454.tif 000003
【図２】
2004126454.tif 000004
【図３】
2004126454.tif 000005
【図４】
2004126454.tif 000006
【図５】
2004126454.tif 000007